(57)【要約】【課題】物品を梱包する際の作業性を向上させる。【解決手段】１枚のシート状材を折り曲げて形成され、内側に物品が梱包される６面体状の梱包箱１００であって、物品の手前側開口部を構成する上面部１、底面部２及び両側面部３、３と、手前側開口部を閉塞する手前側閉塞面部４と、奥側開口部を閉塞する奥側閉塞面部５と、両側面部に連接され、奥側開口部側に折り曲げられて奥側閉塞面部よりも内側に配設される奥側フラップ部７とを備え、奥側閉塞面部の先端部には、底面部の奥側開口部側の端部と奥側フラップ部との間に差し込まれる奥側差込片部５２が設けられ、奥側フラップ部には、奥側差込片部を底面部側に押さえる押さえ片部７２が設けられている。【選択図】図１
2008100719.tif 000002
【特許請求の範囲】
【請求項１】
１枚のシート状材を折り曲げて形成され、内側に物品が梱包される６面体状の梱包箱であって、
前記物品の通過口を構成する４つの通過口構成面部と、
前記４つの通過口構成面部のうち、何れか１の通過口構成面部の前記通過口側の端部に連設され、前記通過口を閉塞する第１閉塞面部と、
前記４つの通過口構成面部のうちの何れか１の第１通過口構成面部の前記通過口と反対側の端部に連設され、前記通過口と反対側の開口部を閉塞する第２閉塞面部と、
前記４つの通過口構成面部のうち、前記第１通過口構成面部以外の少なくとも何れか１の第２通過口構成面部の前記通過口と反対側の端部に連設され、前記開口部側に折り曲げられて前記第２閉塞面部よりも内側に配設されるフラップ部とを備え、
前記第２閉塞面部の先端部には、前記４つの通過口構成面部のうちの前記第２通過口構成面部以外の第３通過口構成面部の前記反対側の端部と前記フラップ部との間に差し込まれる差込片部が設けられ、
前記フラップ部には、前記差込片部を前記第３通過口構成面部側に押さえる押さえ片部が設けられ、
前記押さえ片部は、前記フラップ部の端部から内側に切り込まれて形成されてなることを特徴とする梱包箱。
【請求項２】
１枚のシート状材を折り曲げて形成され、内側に物品が梱包される６面体状の梱包箱であって、
前記物品の通過口を構成する４つの通過口構成面部と、
前記４つの通過口構成面部のうち、何れか１の通過口構成面部の前記通過口側の端部に連設され、前記通過口を閉塞する第１閉塞面部と、
前記４つの通過口構成面部のうちの何れか１の第１通過口構成面部の前記通過口と反対側の端部に連設され、前記通過口と反対側の開口部を閉塞する第２閉塞面部と、
前記４つの通過口構成面部のうち、前記第１通過口構成面部以外の少なくとも何れか１の第２通過口構成面部の前記通過口と反対側の端部に連設され、前記開口部側に折り曲げられて前記第２閉塞面部よりも内側に配設されるフラップ部とを備え、
前記第２閉塞面部の先端部には、前記４つの通過口構成面部のうちの前記第２通過口構成面部以外の第３通過口構成面部の前記反対側の端部と前記フラップ部との間に差し込まれる差込片部が設けられ、
前記フラップ部には、前記差込片部を前記第３通過口構成面部側に押さえる押さえ片部が設けられていることを特徴とする梱包箱。
【請求項３】
前記押さえ片部は、前記フラップ部の端部から内側に切り込まれて形成されてなることを特徴とする請求項２に記載の梱包箱。
【発明の詳細な説明】
【技術分野】
【０００１】
本発明は、内側に物品を梱包する梱包箱に関する。
【背景技術】
【０００２】
従来、１枚のシート状材を折り曲げることにより形成される物品の梱包箱が知られている。
この梱包箱３００は、図５（ａ）及び図５（ｂ）に示すように、所定方向に連設された上面部３０１、底面部３０２及び両側面部３０３、３０３と、上面部３０１の上下両端の各々に連設され、上面部３０１、底面部３０２及び両側面部３０３、３０３により構成される手前側及び奥側の開口部を閉塞する手前側閉塞面部３０４及び奥側閉塞面部３０５（図５（ｂ）参照）と、両側面部３０３、３０３の上下両端の各々に連設され、各開口部側に折り曲げられる２つの手前側フラップ部３０６、３０６及び２つの奥側フラップ部３０７、３０７等を備えている。
また、梱包箱１００は、底面部３０２の自由端部側に連設された接着片部３２１を側面部３０３の自由端部側の内面に接着させることにより角筒状に形成される。そして、２つの奥側フラップ部３０７、３０７を折り曲げ、奥側閉塞面部３０５の自由端部側に連設された奥側差込片部３５２を２つの奥側フラップ部３０７、３０７と底面部３０２との間に差し込み、さらに、２つの手前側フラップ部３０６、３０６を折り曲げ、手前側閉塞面部３０４の自由端部側に連設された手前側差込片部３４２を２つの手前側フラップ部３０６、３０６と底面部３０２との間に差し込むことにより、梱包箱３００は直方体状に形成されるようになっている。
【０００３】
ここで、複数の底フラップ部を組み合わせて底面部を構成した梱包箱が知られている（例えば、特許文献１参照）。
また、折返舌片の先端により収納された品物等が係止されて当該品物の抜け落ちを防止することができる贈答箱も知られている（例えば、特許文献２参照）。
【特許文献１】特開２００３−２６７３５０号公報
【特許文献２】実開平４−３９１６号公報
【発明の開示】
【発明が解決しようとする課題】
【０００４】
ところで、図６（ａ）及び図６（ｂ）に示すように、物品Ｇの梱包の際に、奥側閉塞面部３０５により奥側の開口部を閉塞した状態で、当該梱包箱３００内に手前側の開口部側から物品Ｇを収納しようとすると、物品Ｇの先端部が奥側差込片部３５２に接触して引っ掛かってしまい、物品Ｇの収納（梱包）を適正に行うことができないといった問題がある。
即ち、２つの奥側フラップ部３０７、３０７と底面部３０２との間に差し込まれた奥側差込片部３５２は、底面部３０２の内面から浮き上がった状態となっている場合があり、この場合には、奥側差込片部３５２の先端部が物品Ｇの先端部に引っ掛かるために物品Ｇの収納を適正に行うことができず、物品Ｇを入れ直したり奥側差込片部３５２を底面部３０２に接触させるように折り曲げ直す必要が生じるため、梱包する作業の効率が悪くなってしまう。
【０００５】
なお、特許文献１には、組み合わされた底フラップ部の浮き上がりを防止する押圧片が設けられた構造が開示されているが、本願発明のように、物品を梱包する際の作業性の向上を図るものとは思想が全く異なっている。
【０００６】
そこで、本発明の課題は、物品を梱包する際の作業性を向上させることができる梱包箱を提供することである。
【課題を解決するための手段】
【０００７】
上記課題を解決するため、請求項１に記載の発明は、
１枚のシート状材を折り曲げて形成され、内側に物品が梱包される６面体状の梱包箱であって、
前記物品の通過口を構成する４つの通過口構成面部と、
前記４つの通過口構成面部のうち、何れか１の通過口構成面部の前記通過口側の端部に連設され、前記通過口を閉塞する第１閉塞面部と、
前記４つの通過口構成面部のうちの何れか１の第１通過口構成面部の前記通過口と反対側の端部に連設され、前記通過口と反対側の開口部を閉塞する第２閉塞面部と、
前記４つの通過口構成面部のうち、前記第１通過口構成面部以外の少なくとも何れか１の第２通過口構成面部の前記通過口と反対側の端部に連設され、前記開口部側に折り曲げられて前記第２閉塞面部よりも内側に配設されるフラップ部とを備え、
前記第２閉塞面部の先端部には、前記４つの通過口構成面部のうちの前記第２通過口構成面部以外の第３通過口構成面部の前記反対側の端部と前記フラップ部との間に差し込まれる差込片部が設けられ、
前記フラップ部には、前記差込片部を前記第３通過口構成面部側に押さえる押さえ片部が設けられ、
前記押さえ片部は、前記フラップ部の端部から内側に切り込まれて形成されてなることを特徴としている。
【０００８】
請求項２に記載の発明は、
１枚のシート状材を折り曲げて形成され、内側に物品が梱包される６面体状の梱包箱であって、
前記物品の通過口を構成する４つの通過口構成面部と、
前記４つの通過口構成面部のうち、何れか１の通過口構成面部の前記通過口側の端部に連設され、前記通過口を閉塞する第１閉塞面部と、
前記４つの通過口構成面部のうちの何れか１の第１通過口構成面部の前記通過口と反対側の端部に連設され、前記通過口と反対側の開口部を閉塞する第２閉塞面部と、
前記４つの通過口構成面部のうち、前記第１通過口構成面部以外の少なくとも何れか１の第２通過口構成面部の前記通過口と反対側の端部に連設され、前記開口部側に折り曲げられて前記第２閉塞面部よりも内側に配設されるフラップ部とを備え、
前記第２閉塞面部の先端部には、前記４つの通過口構成面部のうちの前記第２通過口構成面部以外の第３通過口構成面部の前記反対側の端部と前記フラップ部との間に差し込まれる差込片部が設けられ、
前記フラップ部には、前記差込片部を前記第３通過口構成面部側に押さえる押さえ片部が設けられていることを特徴としている。
【０００９】
請求項３に記載の発明は、請求項２に記載の梱包箱において、
前記押さえ片部は、前記フラップ部の端部から内側に切り込まれて形成されてなることを特徴としている。
【発明の効果】
【００１０】
請求項１に記載の発明によれば、第３通過口構成面部の通過口と反対側の端部とフラップ部との間に差し込まれる差込片部は、押さえ片部により第３通過口構成面部側に押さえられるので、当該梱包箱内に通過口側から物品を収納する際に、物品の先端部が差込片部に引っ掛かることなく、物品の収納を適正に行うことができる。
これにより、物品を梱包する際の作業性を向上させることができる。
また、押さえ片部は、フラップ部の端部から内側に切り込まれて形成されているので、押さえ片部の基端部を差込片部からより離れた位置とすることができ、差込片部の押さえを好適に行うことができる。
さらに、フラップ部の端部から内側に切り込まれずに形成された押さえ片部に比べて、押さえ片部を形成するためのシート材の量を軽減することができ、資源を有効活用することができる。
【００１１】
請求項２に記載の発明によれば、第３通過口構成面部の通過口と反対側の端部とフラップ部との間に差し込まれる差込片部は、押さえ片部により第３通過口構成面部側に押さえられるので、当該梱包箱内に通過口側から物品を収納する際に、物品の先端部が差込片部に引っ掛かることなく、物品の収納を適正に行うことができる。
これにより、物品を梱包する際の作業性を向上させることができる。
【００１２】
請求項３に記載の発明によれば、請求項２に記載の発明と同様の効果が得られるのは無論のこと、特に、押さえ片部は、フラップ部の端部から内側に切り込まれて形成されているので、押さえ片部の基端部を差込片部からより離れた位置とすることができ、差込片部の押さえを好適に行うことができる。
また、フラップ部の端部から内側に切り込まれずに形成された押さえ片部に比べて、押さえ片部を形成するためのシート材の量を軽減することができ、資源を有効活用することができる。
【発明を実施するための最良の形態】
【００１３】
以下に、本発明について、図面を用いて具体的な態様を説明する。ただし、発明の範囲は、図示例に限定されない。
図１（ａ）は、本発明を適用した好適な一実施形態として例示する梱包箱１００を示す展開図であり、図１（ｂ）は、梱包箱１００を組み立てた状態を示す斜視図である。また、図２は、図１の領域Ａの要部を拡大して示す図である。
なお、以下の説明では、梱包箱１００に対する物品Ｇ（図３（ｂ）参照）の挿入方向をＸ軸方向とし、Ｘ軸方向に直交する一方向（幅方向）をＹ軸方向とし、Ｘ軸方向及びＹ軸方向の双方に直交する方向（上下方向）をＺ軸方向とする。
【００１４】
本実施形態の梱包箱１００は、例えば、略直方体状に形成され、その一面を開口させた状態で当該開口を通過させるようにして梱包箱１００内に物品Ｇを挿入して、開口している一面を閉塞させることにより物品Ｇを梱包するものである。
なお、以下の説明では、梱包箱１００のうちの上記の開口した一面側を手前側とし、そして、物品Ｇを手前側から奥側へと移動させることにより当該梱包箱１００内に物品Ｇを収納するようになっている。
【００１５】
梱包箱１００は、例えば、図１（ａ）及び図１（ｂ）に示すように、１枚のシート状材を所定方向に折り曲げることで略直方体（６面体状）に形成されるようになっている。
具体的には、梱包箱１００は、例えば、上面部１、底面部２及び両側面部３、３（通過口構成面部）が所定方向に連設され、これら上面部１、底面部２及び両側面部３、３により構成される手前側開口部（物品通過口）Ｏ１（図３参照）及び奥側開口部が手前側閉塞面部４及び奥側閉塞面部５により閉塞されるようになっている。また、梱包箱１００は、例えば、手前側開口部Ｏ１側及び奥側開口部側に折り曲げられて各開口部を閉塞する手前側閉塞面部４及び奥側閉塞面部５よりも内側に配設される２つの手前側フラップ部６、６及び２つの奥側フラップ部７、７を備えている。
【００１６】
上面部１及び底面部２は、例えば、略等しい矩形状に形成されている。また、上面部１及び底面部２は、例えば、両側面部３、３とＸ軸方向の長さがほぼ等しく形成されるとともに、連設方向（図１（ａ）における横方向）の長さが長くなっている。
また、底面部２の自由端部側（図１（ａ）における右端部側）には、例えば、側面部３の自由端部側（図１（ａ）における左端部側）の内面に接着される接着片部２１が連設され、当該接着片部２１を側面部３の自由端部に接着させることにより、４つの内角をそれぞれ略９０°とする角筒状に形成されるようになっている。
【００１７】
上面部１のＸ軸方向の手前側、即ち、当該梱包箱１００内に物品Ｇを挿入する際の物品通過口となる手前側開口部Ｏ１側には、例えば、手前側開口部Ｏ１を閉塞する手前側閉塞面部（第１閉塞面部）４が連設されている。
【００１８】
手前側閉塞面部４は、例えば、上面部１に対して略９０°折り曲げられるようになっており、上面部１のＸ軸方向の手前側の端部に連設され、手前側開口部Ｏ１と略等しい矩形状に形成された手前側閉塞面部本体部４１と、この手前側閉塞面部本体部４１の上面部１と反対側の端部に連設され、上面部１のＸ軸方向手前側の端部と２つの手前側フラップ部６、６との間に差し込まれる手前側差込片部４２とを具備している。
【００１９】
手前側差込片部４２は、例えば、手前側閉塞面部本体部４１に対して略９０°折り曲げられるようになっている。また、手前側差込片部４２のＹ軸方向側の両端部は、例えば、上面部１と反対側の端部側ほど幅狭となるように緩やかに湾曲して形成されている。
【００２０】
上面部（第１通過口構成面部）１のＸ軸方向の奥側には、例えば、奥側開口部を閉塞する奥側閉塞面部（第２閉塞面部）５が連設されている。
【００２１】
奥側閉塞面部５は、例えば、手前側閉塞面部４と略等しい形状に形成され、具体的には、上面部１に対して略９０°折り曲げられるようになっており、上面部１のＸ軸方向の奥側の端部に連設され、奥側開口部と略等しい矩形状に形成された奥側閉塞面部本体部５１と、この奥側閉塞面部本体部５１の上面部１と反対側の端部に連設され、上面部（第３通過口構成面部）１のＸ軸方向奥側の端部と２つの奥側フラップ部７、７との間に差し込まれる奥側差込片部５２とを具備している。
【００２２】
奥側差込片部５２は、例えば、奥側閉塞面部本体部５１に対して略９０°折り曲げられるようになっている。また、奥側差込片部５２のＹ軸方向側の両端部は、例えば、上面部１と反対側の端部側ほど幅狭となるように緩やかに湾曲して形成されている。
【００２３】
両側面部（第２通過口構成面部）３、３の各々のＸ軸方向両側、即ち、物品通過口側（手前側開口部Ｏ１側）及び当該通過口と反対側（奥側開口部側）の端部には、例えば、手前側開口部Ｏ１及び奥側開口部側に折り曲げられる２つの手前側フラップ部６、６及び２つの奥側フラップ部７、７が連設されている。
【００２４】
手前側フラップ部６の各々は、例えば、側面部３に対して略９０°折り曲げられるようになっており、先端部ほど幅狭となる略台形状に形成されている。
【００２５】
奥側フラップ部７は、例えば、側面部３に対して略９０°折り曲げられるようになっており、側面部３の奥側開口部側の端部に連設されたフラップ本体部７１と、このフラップ本体部７１の底面部２側に設けられ、奥側差込片部５２を押さえる押さえ片部７２とを備えている（図２参照）。具体的には、奥側フラップ部７は、例えば、手前側フラップ部６と略等しい形状に形成されたフラップ本体部７１の先端側であって、底面部２側となる部分に、押さえ片部７２を連設するようにして形成されている。
【００２６】
押さえ片部７２は、例えば、図２に示すように、略矩形状に形成され、フラップ本体部７１と接続されて折れ目を構成する折れ目構成辺部７２１を有している。
この折れ目構成辺部７２１は、例えば、フラップ本体部７１の先端部の延在方向に対して略直角となるように延在している。
【００２７】
押さえ片部７２のフラップ本体部７１の先端側の辺７２２は、例えば、折れ目構成辺部７２１に連続するとともに、フラップ本体部７１の先端部を延長させるようにして、当該先端部の延在方向と略等しい方向に延在している。
押さえ片部７２の側面部３側の辺７２３は、例えば、折れ目構成辺部７２１と連続して形成され、具体的には、フラップ本体部７１の底面部２側の端部から折れ目構成辺部７２１に対して略直角となるように内側に切り込まれることで形成されている。
【００２８】
押さえ片部７２の先端側の辺７２２及び側面部３側の辺７２３の長さ（例えば、図２における横方向の長さ）は、例えば、側面部３と底面部２の境界よりも底面部２側に突出する程度とされている。
従って、例えば、当該梱包箱１００が直方体状に組み立てられ、奥側フラップ部７が側面部３に対して内側に略９０°折り曲げられた状態で奥側閉塞面部５により奥側開口部を閉塞するためには、折れ目構成辺部７２１を折れ目として押さえ片部７２を内側（物品Ｇの収納空間側）に所定角度折り曲げる必要が生じる。
これにより、底面部２の奥側開口部側の端部と２つの奥側フラップ部７、７との間に差し込まれる奥側差込片部５２は、押さえ片部７２の折り曲げ前の状態に戻ろうとする復帰力により底面部２側に押さえ付けられることとなる。
【００２９】
次に、梱包箱１００内に対する物品Ｇの梱包について図３を参照して説明する。
ここで、図３（ａ）及び図３（ｂ）は、図１の梱包箱１００内に対する物品Ｇの梱包を説明するための図であり、図３（ａ）は、梱包箱１００内に物品Ｇを収納していない状態を表し、図３（ｂ）は、梱包箱１００内に物品Ｇを収納した状態を表している。
なお、図３（ｂ）にあっては、梱包箱１００内に収納された物品Ｇを破線で表している。
【００３０】
先ず、手前側開口部Ｏ１が手前側閉塞面部４により閉塞されていない状態の梱包箱１００を用意する。
かかる状態では、例えば、図３（ａ）に示すように、底面部２の奥側開口部側の端部と２つの奥側フラップ部７、７との間に差し込まれた奥側差込片部５２は、押さえ片部７２により底面部２側に押さえ付けられた状態となって、奥側差込片部５２の浮き上がりが防止されている。
【００３１】
そして、手前側開口部Ｏ１を介して物品Ｇを手前側から奥側に移動させるように収納すると、物品Ｇの先端部は奥側差込片部５２を乗り越えて、押さえ片部７２に接触する。この状態で、物品Ｇをさらに奥側に押し込むと、押さえ片部７２が奥側閉塞面部５及び底面部２に密着するように潰れていくことで、押さえ片部７２が邪魔になることなく物品Ｇを梱包箱１００内に収納することができる。
【００３２】
その後、手前側開口部Ｏ１を手前側閉塞面部４により閉塞することにより、当該梱包箱１００内に物品Ｇが梱包された状態となる。
【００３３】
以上のように、本実施形態の梱包箱１００によれば、底面部２の奥側開口部側の端部と２つの奥側フラップ部７、７との間に差し込まれる奥側差込片部５２は、押さえ片部７２により底面部２側に押さえられるので、２つの奥側フラップ部７、７と底面部２との間に差し込まれた奥側差込片部５２が底面部２の内面から浮き上がった状態となることを防止することができ、当該梱包箱１００内に手前側開口部Ｏ１側から物品Ｇを収納する際に、物品Ｇの先端部が奥側差込片部５２に引っ掛かることなく、物品Ｇの収納を適正に行うことができる。従って、奥側差込片部５２の先端部が物品Ｇの先端部に引っ掛かってしまい、物品Ｇを入れ直したり奥側差込片部５２を底面部２に接触させるように折り曲げ直す必要が生じなくなる。
この結果、物品Ｇを梱包する際の作業性を向上させることができる。
【００３４】
また、押さえ片部７２は、奥側フラップ部７の端部から内側に切り込まれて形成されているので、押さえ片部７２の基端部を奥側差込片部５２からより離れた位置、即ち、より高い位置とすることができ、押さえ片部７２の差込片部５２に対する角度をより大きくして、奥側差込片部５２の押さえを好適に行うことができる。
このとき、奥側フラップ部７の端部から内側に切り込まれずに形成された押さえ片部７２に比べて、押さえ片部７２を形成するためのシート材の量を軽減することができ、資源を有効活用することができる。
【００３５】
なお、本発明は、上記実施形態に限定されることなく、本発明の趣旨を逸脱しない範囲において、種々の改良並びに設計の変更を行っても良い。
例えば、上記実施形態では、押さえ片部７２として、奥側フラップ部７の端部から内側に切り込まれて形成されたものを例示したが、これに限られるものではなく、例えば、切り込まれずに形成されたものであっても良い。即ち、図４に示すように、奥側フラップ部１０７のフラップ本体部７１の端部に連続して形成された押さえ片部１７２であっても良い。
【００３６】
また、上記実施形態では、手前側閉塞面部４及び奥側閉塞面部５を上面部１に設けるようにしたが、これに限られるものではなく、例えば、手前側閉塞面部４及び奥側閉塞面部５は底面部２に設けられても良いし、手前側閉塞面部４及び奥側閉塞面部５のうち、何れか一方を上面部１に設けて他方を底面部２に設けるようにしても良い。
【００３７】
さらに、上記実施形態では、奥側フラップ部７として両側面部３、３に連設されたものを例示したが、これに限られるものではなく、例えば、両側面部３、３のうちの少なくとも何れか１の側面部３に連設されたものであれば良い。
【００３８】
加えて、梱包箱１００の構成や押さえ片部７２、１７２や奥側フラップ部７等の各部の形状等は、上記実施形態に例示したものは一例であり、これらに限られるものではない。
【図面の簡単な説明】
【００３９】
【図１】本発明を適用した好適な一実施形態として例示する梱包箱を示す図である。
【図２】図１の領域Ａの要部を拡大して示す図である。
【図３】図１の梱包箱内に対する物品の梱包を説明するための図である。
【図４】変形例１の梱包箱の要部を拡大して示す図である。
【図５】従来の梱包箱を示す図である。
【図６】図５の梱包箱内に対する物品の梱包を説明するための図である。
【符号の説明】
【００４０】
１００  梱包箱
１      上面部（通過口構成面部、第１通過口構成面部、第３通過口構成面部）
２      底面部（通過口構成面部）
３      側面部（通過口構成面部、第２通過口構成面部）
４      手前側閉塞面部（第１閉塞面部）
４２    手前側差込片部
５      奥側閉塞面部（第２閉塞面部）
５２    奥側差込片部
６      手前側フラップ部
７      奥側フラップ部
７２    押さえ片部
Ｇ      物品
Ｏ１    手前側開口部（通過口）
【図１】
2008100719.tif 000003
【図２】
2008100719.tif 000004
【図３】
2008100719.tif 000005
【図４】
2008100719.tif 000006
【図５】
2008100719.tif 000007
【図６】
2008100719.tif 000008